(57)【要約】      （修正有）【課題】レンズの損傷を抑制することが出来るように該レンズが嵌るメガネフレームのリムを提供する。【解決手段】リム３は２重構造と成っていて、外リム８と内リム９で構成され、外リム８に内リム９が嵌っていて、レンズ１０は内リム９に嵌合している。外リム８は、外側にリムロック１１を固定し、該リムロック１１は正面から見えないようにヨロイ５を取付けている。したがって、リムロック１１を弛めるならば外リム８の周長は増大し、リムロック１１を締め付けるならば外リム８の周長は縮小する。【選択図】図１
0003208605.tif 000002
【実用新案登録請求の範囲】
【請求項１】
レンズが嵌るメガネフレームのリムにおいて、該リムは互いに噛み合って結合した外リムと内リムの２重構造とし、外リムと内リムの色彩を異にし、上記レンズは内リムに嵌って保持することを特徴とするメガネフレームのリム構造。
【請求項２】
上記外リムと内リムの材質を違わせた請求項１記載のメガネフレームのリム構造。
【請求項３】
上記内リムの幅寸法Ｍを外リムの幅寸法ｍより大きくした請求項１、又は請求項２記載のメガネフレームのリム構造。
【請求項４】
内リムの内周にはレンズ外周が嵌る凹溝を沿設すると共に外周には凸部を沿設し、そして外リムの内周には凹部を沿設した請求項１、請求項２、又は請求項３記載のメガネフレームのリム構造。
【考案の詳細な説明】
【技術分野】
【０００１】
本考案はレンズが嵌るリムを外リムと内リムで構成したリム構造に関するものである。
【背景技術】
【０００２】
メガネフレームはフロント部（イ）と両ツル（ロ）、（ロ）で構成し、フロント部（イ）は両リム（ハ）、（ハ）が連結部材（ニ）を介して左右対称に連結して構成され、ツル（ロ）、（ロ）はフロント部（イ）の両側に蝶番などの継手（ホ）、（ホ）を介して折畳み出来るように取付けられている。図４に従来の一般的なメガネフレームを表しているように、フロント部（イ）の両リム（ハ）、（ハ）にはレンズを嵌めることが出来る。
【０００３】
リム（ハ）にはリムロックが設けられ、該リムロックを弛めるならばリム（ハ）の周長が伸びてレンズを嵌めることが出来、レンズが嵌った状態でリムロックを締め付けることで、該レンズはリムから外れることはない。リム（ハ）はレンズ外形と一致するように曲げ成形されているが、リム（ハ）を構成するリム線の材質のバラツキもあって、リム（ハ）とレンズ外形との間には僅かな誤差が発生している。その為に、リム（ハ）にレンズを嵌めてリムロックを締め付けるならば、該レンズには局部的な集中応力が発生し、その為にレンズ外周部が欠けたり破損したりする。
【０００４】
そこで、レンズに作用する応力を軽減するように構成したリムを有すメガネフレームも色々知られている。
特開２００１−３３０８０２号に係る「メガネのリム構造」は、メガネのレンズを嵌める為のリムであって、従来のようなリムロックを備えることなく、リムに嵌めたレンズに部分的に高い応力を与えてレンズ割れを発生することのないリム構造である。
すなわち、リムはリム本体と補助リムからなり、レンズ外周をリム本体と補助リムにて挟み込んでレンズを取付けている。
【０００５】
特開２０１５−１４６７３号に係る「メガネのリム形態」は、メガネのレンズが嵌るリムであって、レンズの割れや欠けを防止する為に、レンズ外周に部分的な応力が作用しないようにしたリム形態である。
リムの表面に切欠き部を形成してリムの曲げ剛性を低下させ、レンズに作用する無理な応力を抑制する。さらに、リムの全周に亘って正面側と背面側に小さい切欠き部を複数個形成し、正面側切欠き部と背面側切欠き部部の位置をズラしたリム形態とすることが出来る。
【０００６】
一方、リムを用いないで構成する縁なしメガネと称するものも従来から多用されているが、レンズに穴を貫通して連結部材及びヨロイを直接ネジ止めしている。その為に、リムを締め付けることで作用する集中応力とは異なる力が働いてレンズが割れるといった問題が発生する。
【特許文献１】特開２００１−３３０８０２号に係る「メガネのリム構造」
【特許文献２】特開２０１５−１４６７３号に係る「メガネのリム形態」
【考案の開示】
【考案が解決しようとする課題】
【０００７】
このようにリムを備えたメガネフレームの場合、レンズに無理な応力が働かないように構成した色々なリムが知られている。本考案はリムに嵌るレンズを保護すると共に、意匠にも着目したメガネフレームのリム構造を提供する。
【課題を解決するための手段】
【０００８】
本考案が対象とするメガネフレームの基本的な形態は従来のものと同じであり、フロント部の両側には継手を介してツルが折り畳み出来るように取付けられている。上記フロント部は両リムが連結部材を介して繋がれ、両リムの外側には上記ツルを取付ける為のヨロイを設けている。
ところで、本考案のメガネフレームを構成するリムは、外リムと内リムの２重構造とし、内リムは外リムに嵌り、レンズは内リムに嵌って保持される。
【０００９】
上記外リムの内周に内リムが嵌合するように互いに噛み合う凹部と凸部を沿設し、また内リムの内周にはレンズが嵌るように凹溝を沿設している。
そして、外リムと内リムとは互いにその色彩を異にし、また必要に応じて外リムと内リムの材質も違わせることが出来る。一般的な内リムの材質は比較的柔らかくしてレンズの外周になじみ易くしている。
【考案の効果】
【００１０】
本考案のメガネフレームのリムは外リムと内リムの２重構造としている為に、リムとしての曲げ剛性は大きく低下してレンズに作用する応力は緩和される。すなわち、外リムと内リムをまとめた太さを有す１本のリム線から構成する場合に比較して曲げ剛性は小さく、その為に、レンズ外形と内リム内周との間に寸法誤差があっても、リムロックを締め付けるならば内リムはレンズ外形に馴染んで変形することが出来る。
【００１１】
この際、内リムの曲げ剛性は小さい為に、レンズ外周に作用する応力は大きく成らず、レンズ外周の欠け防止が図られてレンズは保護される。特に、内リムの材質を外リムに比較して柔らかくするならば、レンズが保護される効果はさらに向上する。
一方、外リムと内リムとは別々に製作される為に、その色彩を違わせることは容易に出来る。リムの外周側と内周側の色彩が異なることでリムの意匠性は向上し、メガネフレームとしては斬新なデザインとなる。
【図面の簡単な説明】
【００１２】
【図１】本考案のリム構造を備えたメガネフレームを示す実施例で、（ａ）は平面図、（ｂ）は正面図。
【図２】（ａ）は内リムを示す具体例であり、（ｂ）は（ａ）のＡ−Ａ断面拡大図。
【図３】外リムと内リムが噛み合っている場合で、図１（ｂ）のＢ−Ｂ断面拡大図。
【図４】従来の一般的なメガネフレーム。
【考案を実施するための形態】
【００１３】
図１は本考案に係るリムを備えたメガネフレームを示す実施例である。同図の１はフロント部、２，２はツル（テンプル）を表し、該フロント部１は両リム３，３が連結部材４にて左右対称になるように連結され、リム３，３の外側には概略Ｌ形をしたヨロイ５，５がロウ付けにて取着されている。また、フロント部１の中央部にはリム３，３から脚が延びてその先端には鼻当てパット６，６を取付けている。
上記ヨロイ５，５の先端にはツル２，２を取付けているが、該ツル２，２は折畳み出来るように継手７，７を介して連結している。
【００１４】
ところで、上記リム３は２重構造と成っていて、外リム８と内リム９で構成され、外リム８に内リム９が嵌っていて、レンズ１０は上記内リム９に嵌合している。上記外リム８は従来のメガネフレームのリムと同じく、外側にリムロック１１を固定し、該リムロック１１は正面から見えないようにヨロイ５を取付けている。したがって、リムロック１１を弛めるならば外リム８の周長は増大し、リムロック１１を締め付けるならば外リム８の周長は縮小する。
【００１５】
内リム９は外リム８と僅かに小さくした相似形で、外リム８に嵌合している。ただし、外リム８に設けているようなリムロックはなく、単なるリング体で構成され、切り口はヨロイ５が取付けられている箇所に位置し、該ヨロイ５にて被覆されている。そこで、外リム８に設けているリムロック１１を弛めるならば、内リム９は弾性変形することで拡張し、リムロック１１を締め付けるならば縮小することが出来る。すなわち、内リム９は弾性変形して縮小された状態で外リム８に嵌っている。
【００１６】
図２は内リム９を単独で示している具体例であり、該内リム９はリング体を構成し、その一部に切り口１２を有している。該切り口１２の幅寸法Ｈは僅かであるが、外リム８に嵌合する前の状態では切り口１２は僅かに開いた状態と成っている。
同図の（ａ）は内リム９の正面拡大図であり、（ｂ）はＡ−Ａ断面拡大図を表している。内リム９の内周にはレンズ外周が嵌るように凹溝１３が沿設され、外周には凸部１４を沿設している。
【００１７】
図３は前記図１のＢ−Ｂ断面拡大図を表しているが、外リム８の内周には凹部１５が沿設されていて、この凹部１５に内リム９の凸部１４が嵌合している。このように、外リム８の内周に内リム９が嵌って組み合わされることで、２重構造のリム３を構成している。
ここで、同図に示すような外リム８と内リム９の噛み合い構造はあくまでの１具体例であり、該実施例に限定はしない。
【００１８】
外リム８及び内リム９の太さ（寸法）に関しては特に限定するものではないが、外リム８と内リム９を組み合わせた状態のリム３が、従来の１本のリム線で構成しているリムの太さとほぼ同じであるならば、本考案のリム３の曲げ剛性は大きくて低下する。勿論、個々の外リム８及び内リム９の曲げ剛性は極めて小さくなって、リム３に嵌るレンズに与える応力は低減され、特に局部的な集中応力の緩和を図ることが出来る。
【００１９】
ところで、本考案のリム３は外リム８と内リム９を組み合わせた２重構造であり、別々に製作される外リム８と内リム９の色彩を違わせることは容易であり、両リム８，９の色彩を異ならしめることで、リム３の意匠を向上させ得る。そして、メガネフレームとしての装飾性に大きな効果がある。
勿論、外リム８と内リム９の材質を違わせることで、その色彩が必然的に異なる場合もあり、メッキや塗装などの表面処理を施す場合に限るものではない。
【００２０】
メガネフレームを正面から見た場合、図１に示すようにリム３は外周側と内周側とが異なる色彩を呈しており、また図１（ａ）の平面図からも内リム９の一部を見ることが出来る。
すなわち、図３に示しているように、外リム８の幅寸法ｍに対して内リム９の幅寸法Ｍを大きくするならば、メガネフレームの上方からもリム３の２重構造を見ることが出来、大きな装飾効果が得られる。
【００２１】
図１に示した実施例のメガネフレームは金属製フレームであるが、本考案が対象とするメガネフレームは金属製に限定はしない。樹脂製のフレームとして構成し、樹脂製の外リムに樹脂製の内リムを組み合わせることが出来、また金属製の外リムに樹脂製の内リムを組み合わせる場合もある。
【符号の説明】
【００２２】
１   フロント部
２   ツル
３   リム
４   連結部材
５   ヨロイ
６   鼻当てパット
７   継手
８   外リム
９   内リム
10   レンズ
11   リムロック
12   切り口
13   凹溝
14   凸部
15   凹部
【図１】
0003208605.tif 000003
【図２】
0003208605.tif 000004
【図３】
0003208605.tif 000005
【図４】
0003208605.tif 000006